(57)【要約】【課題】太陽光を有効に利用し且つ耐環境性の良い太陽光発電システムを提供すること。【解決手段】太陽光エネルギーを電気エネルギーに変換する太陽光発電部材であって、屋外に設けられる太陽光発電部材と、前記太陽光発電部材で反射された太陽光を受けて当該太陽光を再反射する反射部材であって、角度調整可能であり屋内に設けられる反射部材と、を備えることを特徴とする太陽光発電システムである。【選択図】図１
2014053490.tif 000002
【特許請求の範囲】
【請求項１】
太陽光エネルギーを電気エネルギーに変換する太陽光発電部材であって、屋外に設けられる太陽光発電部材と、
前記太陽光発電部材で反射された太陽光を受けて当該太陽光を再反射する反射部材であって、角度調整可能であり屋内に設けられる反射部材と、
を備えることを特徴とする太陽光発電システム。
【請求項２】
請求項１に記載の太陽光発電システムであって、
前記反射部材における鏡面反射部が、前記太陽光発電部材で反射された太陽光を受け、当該太陽光を前記太陽光発電部材に向けて鏡面反射するように、前記反射部材の角度が調整されることを特徴とする太陽光発電システム。
【請求項３】
請求項２に記載の太陽光発電システムであって、
前記鏡面反射部は凹状の曲面形状を成していることを特徴とする太陽光発電システム。
【請求項４】
請求項２または請求項３に記載の太陽光発電システムであって、
前記反射部材における拡散反射部が、前記太陽光発電部材で反射された太陽光を受け、当該太陽光を屋外側とは反対側の屋内に向けて拡散反射するように、前記反射部材の角度が調整されることを特徴とする太陽光発電システム。
【請求項５】
請求項４に記載の太陽光発電システムであって、
前記拡散反射部は凸状の曲面形状を成していることを特徴とする太陽光発電システム。
【請求項６】
請求項４または請求項５に記載の太陽光発電システムであって、
前記反射部材における前記鏡面反射部の反対側の面が前記拡散反射部であることを特徴とする太陽光発電システム。
【請求項７】
請求項１から請求項６の何れか１項に記載の太陽光発電システムであって、
前記太陽光発電部材は屋内外を仕切る外壁から屋外側に突出して設けられ、
前記太陽光発電部材よりも上方の前記外壁部には窓が設けられ、
前記窓は、上部よりも下部が屋外側に位置するように傾斜して開く、
ことを特徴とする太陽光発電システム。
【発明の詳細な説明】
【技術分野】
【０００１】
本発明は、太陽光発電システムに関する。
【背景技術】
【０００２】
建物には十分な採光を得るために開口面積の大きな窓が設けられる。但し、開口面積の大きな窓を設けると、夏季の強い日射が屋内に直接取り込まれ、室内の温度が上昇したり、冷房負荷が増加したりしてしまう。そこで、建物の外壁に屋外側に突出する庇（日除けルーバー）を設置することで、強い日射を遮ることができる。  
一方、近年では、環境問題や省エネルギーの観点から太陽光発電の需要が高まっており、屋根や外壁等に太陽電池パネルを設置する建物が増えている。但し、庇や太陽電池パネル等の設備を個別に設けると、種々の無駄が生じてしまう。そこで、庇に太陽電池パネルを設けることが提案されている（例えば、特許文献１参照）。
【先行技術文献】
【特許文献】
【０００３】
【特許文献１】特開２０００−２１３２５５号公報
【発明の概要】
【発明が解決しようとする課題】
【０００４】
庇は景観の問題等により水平に設置することが一般に望まれている。しかし、庇に設けられる太陽電池パネルも水平となるため、太陽電池パネルを太陽光に向けて傾斜させる場合に比べて発電量が低下してしまう。上記特許文献１では、太陽光の入射角度に応じて、太陽電池パネルが設けられた庇を傾斜させている。しかし、庇を傾斜させる回動部が屋外に設けられているため、故障し易い。また、気象条件や使用者の状況に応じて、太陽電池パネルの発電量を高めるだけでなく、例えば、室奥へ太陽光を取り込むこと等も望まれる。
【０００５】
本発明は、このような事情に鑑みてなされたものであり、太陽光を有効に利用し、且つ、耐環境性の良い太陽光発電システムを提供することを目的とする。
【課題を解決するための手段】
【０００６】
かかる目的を達成するための太陽光発電システムは、太陽光エネルギーを電気エネルギーに変換する太陽光発電部材であって、屋外に設けられる太陽光発電部材と、前記太陽光発電部材で反射された太陽光を受けて当該太陽光を再反射する反射部材であって、角度調整可能であり屋内に設けられる反射部材と、を備えることを特徴とする太陽光発電システムである。  
このような太陽光発電システムによれば、反射部材の角度を調整することで、太陽光発電部材で反射された太陽光を反射部材で再反射して太陽光発電部材に戻すことで発電量を高めたり、太陽光発電部材で反射された太陽光を反射部材で屋内に向けて再反射することで屋内に太陽光を取り込んだりと、太陽光を有効に利用することができる。また、可動する反射部材が屋内に設けられるため、故障し難く、耐環境性を向上させることができる。
【０００７】
かかる太陽光発電システムであって、前記反射部材における鏡面反射部が、前記太陽光発電部材で反射された太陽光を受け、当該太陽光を前記太陽光発電部材に向けて鏡面反射するように、前記反射部材の角度が調整されることを特徴とする太陽光発電システムである。  
このような太陽光発電システムによれば、太陽光発電部材の発電量を高めることができる。また、鏡面反射部で太陽光を再反射することで太陽光発電部材に太陽光を集光させることができる。そのため、太陽光発電部材に戻る光量を増やすことができ、また、反射部材の角度調整を容易にすることができる。
【０００８】
かかる太陽光発電システムであって、前記鏡面反射部は凹状の曲面形状を成していることを特徴とする太陽光発電システムである。  
このような太陽光発電システムによれば、太陽光発電部材に太陽光をより集光させることができる。
【０００９】
かかる太陽光発電システムであって、前記反射部材における拡散反射部が、前記太陽光発電部材で反射された太陽光を受け、当該太陽光を屋外側とは反対側の屋内に向けて拡散反射するように、前記反射部材の角度が調整されることを特徴とする太陽光発電システムである。  
このような太陽光発電システムによれば、屋内、特に太陽光が届き難い奥部にまで太陽光を到達させることができる。また、拡散反射部で太陽光を再反射することで、屋内全体に太陽光を拡散することができ、屋内全体を明るくすることができる。
【００１０】
かかる太陽光発電システムであって、前記拡散反射部は凸状の曲面形状を成していることを特徴とする太陽光発電システムである。  
このような太陽光発電システムによれば、屋内のより奥部にまで太陽光を到達させることができる。
【００１１】
かかる太陽光発電システムであって、前記反射部材における前記鏡面反射部の反対側の面が前記拡散反射部であることを特徴とする太陽光発電システムである。  
このような太陽光発電システムによれば、反射部材のサイズを小さくすることができる。
【００１２】
かかる太陽光発電システムであって、前記太陽光発電部材は屋内外を仕切る外壁から屋外側に突出して設けられ、前記太陽光発電部材よりも上方の前記外壁部には窓が設けられ、前記窓は、上部よりも下部が屋外側に位置するように傾斜して開く、ことを特徴とする太陽光発電システムである。  
このような太陽光発電システムによれば、太陽光発電部材で反射された太陽光の一部を窓で全反射させることができ、窓周辺に入射する光量を減らすことができる。また、屋内を換気することができる。従って、窓周辺の温度上昇を抑えることができる。
【発明の効果】
【００１３】
本発明によれば、太陽光を有効に利用し、且つ、耐環境性の良い太陽光発電システムを提供することができる。
【図面の簡単な説明】
【００１４】
【図１】図１Ａは太陽光発電システムの発電量を高める場合の説明図であり、図１Ｂは太陽電池パネルが設けられた庇の説明図であり、図１Ｃは反射ユニットの角度調整の説明図である。
【図２】室奥に太陽光を取り込む場合の説明図である。
【図３】窓周辺の温度上昇を抑える場合の説明図である。
【図４】図４Ａから図４Ｅは庇の構成の変形例を説明する図である。
【図５】反射ユニットの変形例を説明する図である。
【図６】図６Ａから図６Ｄは鏡面反射部材，拡散反射部材の変形例を説明する図である。
【発明を実施するための形態】
【００１５】
以下、太陽光発電システムの実施例について図を用いて詳細に説明する。
【００１６】
＝＝＝実施例＝＝＝
図１Ａは、太陽光発電システムの発電量を高める場合の説明図であり、図１Ｂは、太陽電池パネル１２が設けられた庇１０の説明図であり、図１Ｃは、反射ユニット２０の角度調整の説明図である。なお、図１Ｂの左図が庇１０の上面図であり、図１Ｂの右図が庇１０の断面図である。図２は、室奥に太陽光を取り込む場合の説明図であり、図３は、窓周辺の温度上昇を抑える場合の説明図である。
【００１７】
＜＜太陽光発電システムの構成＞＞
本実施例の太陽光発電システムは、屋内外を仕切る外壁２から屋外（室外）側に突出した庇１０であり太陽電池パネル１２を有する「庇１０」と、建物１の屋内（室内）に設けられた「反射ユニット２０」とを有する。説明のため、外壁２に対して庇１０が突出する方向をＸ方向と呼び、庇１０が外壁２に沿って延びている方向をＹ方向と呼ぶ。また、建物１の外壁２には庇１０の上方と下方にそれぞれ上部窓３と下部窓４が設けられ、各窓３，４には光を透過する窓ガラスが取付けられている。窓３，４の面積を大きくすることで十分な採光を得ることができるが、夏場には強い太陽光が直接室内に入射し、室内の温度が上昇したり、冷房負荷が増加したりしてしまう。そこで、部屋の半分の高さよりも上方の外壁２に庇１０を設けることで、強い太陽光を遮ることができる。
【００１８】
なお、庇１０よりも上方の上部窓３は、図３に示すように、上部よりも下部が屋外側に位置するように傾斜して開閉する。そのため、上部窓が逆に傾斜して開く場合に比べて（即ち、上部が下部よりも屋外側に位置するように傾斜して開く場合に比べて）、降雨時に上部窓３を開けても雨の浸入を抑制することができる。
【００１９】
庇１０（太陽光発電部材）は、図１Ｂに示すように、太陽光を透過する２枚のガラス板１１ａ，１１ｂと、太陽光エネルギーを電気エネルギーに変換する太陽電池パネル１２と、鏡面反射部１３とを有し、太陽電池パネル１２は２枚のガラス板１１ａ，１１ｂに挟み込まれて保護されている。上方のガラス板１１ａを透過した太陽光が太陽電池パネル１２の上面に照射されると電力が発生し、発生した電力は建物１内の設備の電源として利用されたりバッテリーに蓄えられたりする。つまり、本実施例の庇１０は日射遮蔽を行いつつ発電も行う。このように庇１０に太陽電池パネル１２を設けることで、各部材を個別に設ける場合に比べて種々の無駄を省くことができる。また、太陽光の受光面である庇１０の上面（即ち、上方のガラス板１１ａの上面）には、汚れ防止処理（例えば、撥水処理や粘着防止処理など）が施されている。そのため、屋外に設置される庇１０の汚れを抑制することができ、汚れによる太陽電池パネル１２への入射光量の低下を抑制し、発電量の低下を抑制することができる。
【００２０】
また、図１Ｂの左図に示すように、庇１０のうち太陽電池パネル１２が存在しない部位、即ち、太陽電池パネル１２の周囲であり、２枚のガラス板１１ａ，１１ｂの接着領域に、上方のガラス板１１ａを透過した太陽光を鏡面反射する鏡面反射部１３が設けられている。この鏡面反射部１３は太陽電池パネル１２の受光面と同じ側の面（即ち上面）で太陽光を鏡面反射する。また、太陽電池パネル１２に入射した太陽光の一部は光電変換されるが、残りは反射される。従って、庇１０の上面に入射した太陽光は、太陽電池パネル１２と鏡面反射部１３により庇１０の上面の全域で反射される。
【００２１】
なお、庇１０の形成方法を具体的に説明すると、まず、上方のガラス板１１ａの下面のうち太陽電池パネル１２が設けられない部位に、鏡を貼り付けたり、銀やアルミニウム等の蒸着膜を形成したりすることによって、上方のガラス板１１ａに鏡面反射部１３を設ける。その後、下方のガラス板１１ｂの上面のうち太陽電池パネル１２が設けられない部位に接着剤１４を塗布し、２枚のガラス板１１ａ，１１ｂで太陽電池パネル１２を挟み込み、２枚のガラス板１１ａ，１１ｂを接着剤１４で接着することによって、庇１０を形成する。
【００２２】
反射ユニット２０は、屋内に設けられ、庇１０で反射された太陽光を受けて当該太陽光を再反射する反射部材２１，２２と、３つの回動部材２３ａ〜２３ｃと、２つのアーム部材２４ａ，２４ｂとを有する。反射部材２１，２２は、角度調整可能であり、入射した太陽光を主に鏡面反射する鏡面反射部材２１と、入射した太陽光を主に拡散反射する拡散反射部材２２とを有する。なお、鏡面反射（正反射）とは、入射角と反射角が等しい反射であり、拡散反射（乱反射）とは、反射光が種々の方向に散乱して進行する反射である。
【００２３】
反射部材２１，２２は、長方形の板状部材である鏡面反射部材２１と拡散反射部材２２を貼り合わせた部材のＸ方向に沿う辺を湾曲させた部材であり、鏡面反射部材２１が拡散反射部材２２よりも内側となるように、即ち、拡散反射部材２２側が凸となるように湾曲させた部材である。そのため、反射部材２１，２２では、一方側の面が太陽光を鏡面反射する凹状の曲面形状を成し、反対側の面が太陽光を拡散反射する凸状の曲面形状を成す。また、反射部材２１，２２と庇１０のＹ方向の各長さは同程度であり、反射部材２１，２２は、庇１０の上面全域（即ち、太陽電池パネル１２と鏡面反射部１３）で反射された太陽光を受けることができる。
【００２４】
このように、反射部材２１，２２の一方側の面を鏡面反射部材２１の凹状の曲面（反射部材における鏡面反射部）とし、反対側の面を拡散反射部材２２の凸状の曲面（反射部材における拡散反射部）とする。そうすることで、例えば、鏡面反射部と拡散反射部が並んで同じ面に設けられる反射部材（不図示）に比べて、反射部材のサイズを小さくすることができる。
【００２５】
そして、第１アーム部材２４ａの一端が第１回動部材２３ａを介して天井面５に取り付けられ、第１アーム部材２４ａの他端が第２回動部材２３ｂを介して第２アーム部材２４ｂの一端に取り付けられ、第２アーム部材２４ｂの他端が第３回動部材２３ｃを介して反射部材２１，２２に取り付けられている。第１アーム部材２４ａは第１回動部材２３ａを中心に天井面５に対して揺動可能であり、第２アーム部材２４ｂは第２回動部材２３ｂを中心に第１アーム部材２４ａに対して揺動可能であり、反射部材２１，２２は第３回動部材２３ｃを中心に揺動可能である。従って、図１Ａに示すように鏡面反射部材２１の凹状の曲面を庇１０に向けたり、図２に示すように拡散反射部材２２の凸状の曲面を室内側に向けたり、図１Ｃに示すように第３回動部材２３ｃにより反射部材２１，２２の角度を微調整したりすることができる。
【００２６】
なお、反射部材２１，２２の角度調整は、モーターにより自動で行うようにしてもよいし、手動で行うようにしてもよい。また、例えば図１Ａの状態から図２の状態へ反射部材２１，２２の角度を調整する場合、第１アーム部材２４ａと第２アーム部材２４ｂを下方に伸ばしてから、反射部材２１，２２の角度を変えることで、反射部材２１，２２が天井面５や上部窓３と接触してしまうことを防止できる。
【００２７】
＜＜太陽光発電システムの使用方法＞＞
庇１０は景観の問題等により水平に設置することが一般に望まれているため、本実施例でも、外壁２から屋外側に庇１０を水平に突出させる。しかし、庇１０に設けられる太陽電池パネル１２の姿勢も水平になってしまうため、太陽電池パネル１２を太陽光に向けて傾斜させる場合に比べて発電量が低下してしまう。  
一方、太陽の高度（角度）に応じて太陽電池パネル１２が設けられた庇の角度を可変にすることで、太陽電池パネル１２の発電量を高めることができる。しかし、屋外に可動部が設けられるため、可動部は故障し易く、メンテナンス性も悪い。また、太陽電池パネル１２が設けられた庇を傾斜させてしまうと、太陽電池パネル１２の特異な色が目立ったり、太陽電池パネル１２からの反射光により光害が発生したりする虞がある。  
また、太陽電池パネル１２の発電量を高めることだけでなく、気象条件や使用者の状況に応じて、室奥へ太陽光を取り込むことや、窓３，４周辺の温度上昇を抑えることが望まれる場合もある。
【００２８】
そこで、本実施例の太陽光発電システムでは、屋外に設けられた庇１０（太陽電池パネル１２）の角度を水平に固定し、角度調整可能な反射部材２１，２２（反射ユニット２０）を屋内に設ける。そして、気象条件や使用者の状況に応じて反射部材２１，２２の角度を調整し、太陽光を有効に利用する。
【００２９】
まず、太陽電池パネル１２の発電量を高める場合について説明する。この場合、図１Ａに示すように、鏡面反射部材２１の凹状の曲面が、庇１０で反射された太陽光を受け、当該太陽光を庇１０（特に、太陽電池パネル１２）に向けて鏡面反射するように、反射部材２１，２２の角度を調整する。そうすると、太陽電池パネル１２や鏡面反射部１３で反射された太陽光は上部窓３を透過し鏡面反射部材２１で再反射された後に太陽電池パネル１２に入射する。そのため、太陽電池パネル１２に入射する光量を増やすことができ、太陽電池パネル１２での発電量を高めることができる。
【００３０】
なお、鏡面反射部材２１から太陽電池パネル１２に戻った太陽光の一部は光電変換され、残りは上空に向けて反射される。そのため、太陽電池パネル１２からの反射光による光害の発生を防止することができる。また、太陽電池パネル１２は高温になると発電効率が低下してしまうが、太陽電池パネル１２から太陽光が反射されて庇１０に熱がこもらないため、太陽電池パネル１２の発電効率の低下を抑制できる。
【００３１】
また、太陽の高度に応じて、図１Ｃに示すように反射部材２１，２２の角度を微調整することができる。そのため、太陽の高度に関係なく、庇１０で反射された太陽光を反射部材２１，２２で受け、その太陽光を太陽電池パネル１２に戻すことができ、太陽電池パネル１２の発電量を高めることができる。
【００３２】
ここで、仮に、庇１０で反射された太陽光を拡散反射部材２２で受けて太陽電池パネル１２に戻すようしたとする。そうすると、庇１０で反射された太陽光は拡散反射部材２２で拡散されてしまい、太陽電池パネル１２に戻る光量が減少してしまう。そのため、本実施例では、庇１０で反射された太陽光を鏡面反射部材２１で受けて太陽電池パネル１２に戻すようにする。そうすることで、鏡面反射部材２１で反射された太陽光を太陽電池パネル１２に集光させることができ、太陽電池パネル１２に多くの光量を戻すことができる。その結果、太陽電池パネル１２での発電量をより高めることができる。また、鏡面反射部材２１からの反射光が拡散せず、反射部材２１，２２の角度を調整することが容易なシステムであるため、反射光が太陽電池パネル１２に戻るように容易に調整できる。
【００３３】
更に、庇１０で反射された太陽光を、鏡面反射部材２１の凹状の曲面で受けて太陽電池パネル１２に戻すようにする。そうすることで、太陽電池パネル１２の周囲の鏡面反射部１３で反射された太陽光が、鏡面反射部材２１から太陽電池パネル１２に戻り易くなる。つまり、鏡面反射部材２１で反射された太陽光を太陽電池パネル１２により集光させることができ、太陽電池パネル１２により多くの光量を戻すことができる。よって、太陽電池パネル１２での発電量をより高めることができる。
【００３４】
また、庇１０は、２枚のガラス板１１ａ，１１ｂで太陽電池パネル１２を挟み込むことにより構成されている。そのため、２枚のガラス板１１ａ，１１ｂの接着が弱いと、経年劣化により接着が剥離し、水分が浸入して太陽電池パネル１２が故障したり、見た目が悪くなったりする。そのため、太陽電池パネル１２の周囲には十分な幅の接着領域を設ける必要がある。
【００３５】
ここで仮に、太陽電池パネル１２の周囲の接着領域に鏡面反射部１３が設けられずに、接着領域がガラス板１１ａ，１１ｂと接着剤１４だけで構成されているとする。そうすると、太陽電池パネル１２の周囲に入射した太陽光はガラス板１１ａ，１１ｂと接着剤１４を透過し、太陽光が下部窓４から室内に直接入射し、庇１０の日射遮蔽機能が低下してしまう。特に、２枚のガラス板１１ａ，１１ｂの接着を強めるために接着領域の幅を広くしてしまうと、接着領域を透過する光量が増え、庇１０の日射遮蔽機能が更に低下してしまう。一方、接着領域における太陽光の透過を防止するために、太陽電池パネル１２の周囲の接着領域を不透明な濃い色の部材で構成したとする。そうすると、接着領域が光を吸収し、庇１０に熱がこもってしまう。その結果、熱により太陽電池パネル１２での発電効率が低下してしまう。
【００３６】
そのため、太陽電池パネル１２の周囲であり、２枚のガラス板１１ａ，１１ｂの接着領域に、太陽電池パネル１２の受光面と同じ側の面で太陽光を鏡面反射する鏡面反射部１３を設けるとよい。そうすることで、太陽電池パネル１２の周囲（接着領域）に入射した太陽光は、庇１０を透過することなく、鏡面反射部１３で反射される。つまり、接着領域に入射した太陽光が下部窓４から室内に直接入射してしまうことを防止でき、２枚のガラス板１１ａ，１１ｂの接着を強めるために接着領域の幅を広くしても、庇１０の日射遮蔽機能の低下の問題が生じない。また、庇１０に熱がこもってしまうことを抑え、熱による太陽電池パネル１２での発電効率の低下を抑制することができる。
【００３７】
また、２枚のガラス板１１ａ，１１ｂの接着を強めるために接着領域の幅を広くするということは、庇１０の受光面に対する太陽電池パネル１２の割合が小さくなるということである。しかし、接着領域に鏡面反射部１３を設けることで、鏡面反射部１３に入射し反射された太陽光を、屋内の鏡面反射部材２１で再反射させて太陽電池パネル１２に戻し、太陽電池パネル１２の発電に利用することができる。そのため、２枚のガラス板１１ａ，１１ｂの接着を強めるために接着領域の幅を広くしたことで、庇１０の受光面に対する太陽電池パネル１２の割合が小さくなっても、太陽電池パネル１２での発電量低下を抑えることができる。
【００３８】
また、２枚のガラス板１１ａ，１１ｂの接着領域に鏡面反射部１３が設けられていない場合には、庇１０の上面に汚れ防止処理を施すと、接着領域から透過する光量が増え、日射遮蔽機能が低下してしまう。しかし、本実施例の庇１０のように接着領域に鏡面反射部１３が設けられる場合、鏡面反射部１３で太陽光が反射されるため、庇１０の上面に汚れ防止処理を施しても、日射遮蔽機能が低下する問題は生じない。逆に、汚れ防止処理を施すことで、太陽電池パネル１２と鏡面反射部１３に入射する光量が増え、太陽電池パネル１２の発電量をより高めることができる。
【００３９】
次に、室奥（窓３，４から離れた屋内の場所）に太陽光を積極的に取り込む場合について説明する。この場合、図２に示すように、拡散反射部材２２の凸状の曲面が、庇１０で反射された太陽光を受け、当該太陽光を屋外側とは反対側の屋内（室奥）に向けて拡散反射するように、反射部材２１，２２の角度を調整する。そうすると、太陽電池パネル１２や鏡面反射部１３で反射された太陽光は、上部窓３を透過し、拡散反射部材２２や天井面５によって室奥に向けて反射される。即ち、拡散反射部材２２や天井面５で反射された太陽光を間接照明光として利用することができ、太陽光が届き難い室奥にまで太陽光を取り込むことができ、室奥を明るくすることができる。また、この場合にも、太陽電池パネル１２に入射した太陽光によって発電が行われているため、太陽光発電システム（庇１０と反射ユニット２０）は、太陽光発電を行いつつ、室奥に太陽光を取り込む機能を果たす。
【００４０】
ここで、仮に、庇１０で反射された太陽光を鏡面反射部材２１で受けて室奥に向けて再反射させるとする。そうすると、鏡面反射部材２１からの反射光が集光し、局所的に明るくなったり眩しくなったりしてしまう。そこで、本実施例では、庇１０で反射された太陽光を拡散反射部材２２で受けて室奥に向けて再反射させる。そうすることで、拡散反射部材２２で太陽光が拡散反射し、室奥全体に光が拡散され、室奥全体を明るくすることができる。
【００４１】
更に、庇１０で反射された太陽光を、拡散反射部材２２の凸状の曲面で受けて室奥に向けて再反射させるようにする。そうすることで、窓３，４からより離れた場所にまで光を到達させることができる。
【００４２】
また、この場合にも、２枚のガラス板１１ａ，１１ｂの接着領域に鏡面反射部１３を設けることで、日射遮蔽機能の低下を防止し、鏡面反射部１３で反射された太陽光を室奥に取り込むことができる。つまり、より多くの太陽光を室奥に取り込むことができる。
【００４３】
次に、窓３，４周辺の温度上昇を抑えたい場合について説明する。この場合、図３に示すように、庇１０よりも上方の上部窓３を開ける。そうすることで、室内が換気され、窓３，４周辺の温度上昇を抑えることができる。また、室奥に太陽光を取り込む場合（図２）と同様に、庇１０で反射された太陽光を拡散反射部材２２の凸状の曲面が受けて室奥に向けて再反射するように、反射部材２１，２２の角度を調整する。この場合、図２に示すように、庇１０の屋外側の部位で反射された太陽光の方が屋内側の部位で反射された太陽光に比べて、窓３，４周辺で太陽光が拡散される。
【００４４】
但し、上部窓３が上部から下部にかけて屋外側に傾斜して開いているため、庇１０の屋外側の部位で反射された太陽光は臨界角を超える程の大きな入射角で上部窓３に入射する。そのため、庇１０の屋外側の部位で反射された太陽光、即ち、室内に入射した場合には窓３，４周辺で拡散される太陽光は、室内に入射することなく、上部窓３により上空に向けて全反射される。従って、窓３，４周辺で拡散反射される光量を減らすことができ、窓３，４周辺の温度上昇を抑えることができる。一方、庇１０の屋内側の部位で反射された太陽光は、上部窓３に入射せずに直接室内に入射し、拡散反射部材２２や天井面５により窓３，４から離れた室奥に向けて再反射される。
【００４５】
つまり、上部窓３の上部よりも下部が屋外側に位置するように傾斜させて上部窓３を開くことで、室奥に太陽光を取り込みつつ、窓３，４周辺に拡散される太陽光を減らして窓３，４周辺の温度上昇を抑えることができる。なお、この場合にも、太陽電池パネル１２に入射した太陽光によって発電が行われている。また、上部窓３を開ける場合、図３のように拡散反射部材２２を室奥に向けるに限らず、図１Ａのように鏡面反射部材２１を太陽電池パネル１２に向けてもよい。
【００４６】
以上のように、本実施例の太陽光発電システムでは、水平に固定された庇１０に対して反射部材２１，２２の角度を調整することで、太陽電池パネル１２の発電量を高めたり（図１Ａ）、室奥へ太陽光を取り込んだり（図２）、窓３，４周辺の温度上昇を抑えたりすること（図３）ができ、太陽光を有効に利用することができる。また、庇１０が水平に保たれるため、景観が害されることがなく、太陽電池パネル１２の特異な色が目立ってしまうことも防止できる。また、屋外に設けられる庇１０は固定し、屋内に設けられる反射部材２１，２２を角度調整可能とし、可動部（回動部材２３ａ〜２３ｃやアーム部材２４ａ，２４ｂ）を屋内に設ける。そのため、可動部は外気に晒されず故障し難く、メンテナンス性が良い。また、手動で可動部を動かす場合、可動部を屋内に設ける方が容易に動かすことができる。つまり、本実施例の太陽光発電システムは、太陽光を有効に利用し、且つ、耐環境性の良いシステムである。
【００４７】
＝＝＝庇１０の変形例＝＝＝
図４Ａから図４Ｅは、庇１０の変形例を説明する図である。前述の実施例の庇１０（図１Ｂ）では、上方のガラス板１１ａの下面に鏡を貼り付けたり銀やアルミニウム等の蒸着膜を形成したりすることによって、鏡面反射部１３が設けられているが、これに限らない。太陽電池パネル１２の周囲であり、２枚のガラス板１１ａ，１１ｂの接着領域に、太陽電池パネル１２の受光面と同じ側の面で光を鏡面反射する鏡面反射部１３を設ければよく、例えば、下方のガラス板１１ｂの上面に鏡を貼り付けたり銀やアルミニウム等の蒸着膜を形成したりしてもよい（不図示）。
【００４８】
また、例えば、図４Ａに示すように、上面を鏡面処理した金属板１３（例えばアルミニウム板）を、２枚のガラス板１１ａ，１１ｂの間であり太陽電池パネル１２の周囲に挟み込み、その金属板１３を介して接着剤１４で２枚のガラス板１１ａ，１１ｂを接着してもよい。以上のように、２枚のガラス板１１ａ，１１ｂの間に鏡面反射部１３を設けることで（図１Ｂ，図４Ａ）、鏡面反射部１３の剥離や疵付きや汚れを防止することができる。つまり、ガラス板１１ａ，１１ｂで鏡面反射部１３が保護されるため、コーティング層を別に設ける必要がなく、コストダウンを図ることができる。
【００４９】
また、例えば、図４Ｂに示すように、上方のガラス板１１ａの上面であり太陽電池パネル１２の周囲に、鏡を貼り付けたり、銀やアルミニウム等の蒸着膜を形成したりして、上方のガラス板１１ａの上面に鏡面反射部１３を設けてもよい。逆に、下方のガラス板１１ｂの下面であり太陽電池パネル１２の周囲に、鏡を貼り付けたり、銀やアルミニウム等の蒸着膜を形成したりしてもよい（不図示）。この場合、鏡面反射部１３はガラス板１１ａ，１１ｂに保護されずに露出するため、鏡面反射部１３を覆うコーティング層１５を設けるとよい。そうすることで、鏡面反射部１３の剥離や疵付きや汚れを防止することができる。
【００５０】
また、例えば、図４Ｃに示すように、上面を鏡面処理した金属板（例えばアルミニウム板）を上方のガラス板１１ａの上面であり太陽電池パネル１２の周囲に接着剤１４で接着し、その上からコーティング層１５を設けてもよい。逆に、上面を鏡面処理した金属板を下方のガラス板１１ａの下面であり太陽電池パネル１２の周囲に接着し、その金属板を覆うようにコーティング層１５を設けてもよい（不図示）。
【００５１】
以上のように、２枚のガラス板１１ａ，１１ｂの露出面に鏡面反射部１３を設ける場合（図４Ｂ，図４Ｃ）、太陽電池パネル１２を有する汎用の庇１０や既存の庇１０に対して容易に鏡面反射部１３を設けることができる。また、ガラス板１１ａ，１１ｂの間に鏡面反射部１３が設けられている場合に比べて、鏡面反射部１３のメンテナンスが容易となる。
【００５２】
また、２枚のガラス板１１ａ，１１ｂを接着剤１４で接着するに限らず、図４Ｄに示すように、溶着により２枚のガラス板１１ａ，１１ｂを接着してもよい。なお、図４Ｄでは、図４Ｂと同様の方法でガラス板１１ａの上面に鏡面反射部１３を設けているが、これ以外の方法で鏡面反射部１３を設ける場合にも、溶着により２枚のガラス板１１ａ，１１ｂを接着してもよい。
【００５３】
また、太陽電池パネル１２の周囲に鏡面反射部１３を設けなくてもよい。即ち、図４Ｅに示すように、２枚のガラス板１１ａ，１１ｂで太陽電池パネル１２を挟み込み、太陽電池パネル１２の周囲の接着剤１４で２枚のガラス板１１ａ，１１ｂを接着するだけの庇１０でもよい。但し、鏡面反射部１３を設ける方が、日射遮蔽機能の低下、及び、太陽電池パネル１２の発電効率の低下を抑制し、太陽光を有効に利用することができる。また、２枚のガラス板１１ａ，１１ｂの接着領域の全域に鏡面反射部１３を設けるに限らず、接着領域の一部にだけ鏡面反射部１３を設けるようにしてもよい。
【００５４】
また、太陽電池パネル１２を２枚のガラス板１１ａ，１１ｂで挟み込むことにより庇１０を構成するに限らない。例えば、外壁２から屋外へ水平に突出する支持部材で太陽電池パネル１２を下から支持するだけでもよい（不図示）。
【００５５】
＝＝＝反射ユニット２０の変形例＝＝＝
図５は、反射ユニット２０の変形例を説明する図である。前述の実施例（図１Ａ）では、３つの回動部材２３ａ〜２３ｃと２つのアーム部材２４ａ〜２４ｂによって反射部材２１，２２の角度を調整しているが、これに限らない。例えば、図５に示す反射ユニット２０は、反射部材２１，２２と、レール２５と、蝶ネジ２６とを有する。レール２５は、天井面５から下方に延び、蝶ネジ２６の軸を挿通するための孔であり上下方向に延びた孔を有する。蝶ネジ２６は、レール２５の孔に軸が通された状態でレール２５に沿って上下方向にスライド可能である。また、反射部材２１，２２のＹ方向における側面には、蝶ネジ２６と螺合するネジ山が形成されたネジ孔が設けられている。蝶ネジ２６がレール２５を介してネジ孔に挿入され反射部材２１，２２に締め付けられることで、レール２５に対する反射部材２１，２２の位置が固定される。なお、レール２５を２つ設け、反射部材２１，２２のＹ方向における両側面から蝶ネジ２６で位置を固定するようにしてもよいし、レール２５を１つだけ設け、反射部材２１，２２のＹ方向における片側の側面だけ蝶ネジ２６で位置を固定するようにしてもよい。
【００５６】
太陽電池パネル１２の発電量を高める場合には、図５の左図に示すように、鏡面反射部材２１の凹状の曲面が庇１０に向くように反射部材２１，２２の角度を調整する。一方、室奥へ太陽光を取り込んだり、窓３，４周辺の温度上昇を抑えたりする場合には、図５の右図に示すように、拡散反射部材２２の凸状の曲面が室奥に向くように反射部材２１，２２の角度を調整する。そして、反射部材２１，２２の角度を調整する際には、まず、蝶ネジ２６を緩めて、天井面５や窓３，４に反射部材２１，２２が接触しないように反射部材２１，２２の上下方向の位置をずらしつつ反射部材２１，２２の角度を変更した後に、蝶ネジ２６を締め付けて反射部材２１，２２の位置を固定する。
【００５７】
＝＝＝鏡面反射部材２１，拡散反射部材２２の変形例＝＝＝
図６Ａから図６Ｄは、鏡面反射部材２１，拡散反射部材２２の変形例を説明する図である。前述の反射部材２１，２２（図１Ａ）では、一方の面が鏡面反射部材２１の凹状の曲面となっており、反対側の面が拡散反射部材２２の凸状の曲面となっているが、これに限らない。例えば、図６Ａに示すように、湾曲していない板状の反射部材３１，３２でもよい。即ち、一方の面が鏡面反射部材３１の平坦面であり、反対側の面が拡散反射部材３２の平坦面である反射部材でもよい。また、例えば、図６Ｂに示すように、一方の面が鏡面反射部材３３の凹状の曲面であり、反対側の面が拡散反射部材３４の平坦面である反射部材であってもよいし、図６Ｃに示すように、一方の面が鏡面反射部材３５の平坦面であり、反対側の面が拡散反射部材３６の凸状の曲面である反射部材であってもよい。
【００５８】
これらの場合であっても、庇１０からの太陽光を鏡面反射部材３１，３３，３５の平坦面又は凹状の曲面が受けて太陽電池パネル１２に戻すように反射部材の角度を調整することで、太陽電池パネル１２の発電量を高めることができる。また、庇１０からの太陽光を拡散反射部材３２，３４，３６の平坦面又は凸状の曲面が受けて室奥に向けて再反射するように反射部材の角度を調整することで、室奥に太陽光を取り込んだり、窓周辺の温度上昇を抑えたりすることができる。但し、鏡面反射部材２１の凹状の曲面で太陽光を太陽電池パネル１２に戻す方が、より多くの太陽光を太陽電池パネル１２に戻すことができ、また、拡散反射部材２２の凸状の曲面で太陽光を再反射する方が、より室奥へ太陽光を拡散することができる。
【００５９】
また、例えば、図６Ｄに示すように、拡散反射部材を有さず、板状の鏡面反射部材３７から構成される反射部材であってもよい。この場合、反射部材を反転させる必要がない。そのため、図６Ｄに示すように、アーム部材３８の一端を天井面５に固定し、他端を鏡面反射部材３７に回動部材３９を介して取付けた簡易な構造で、鏡面反射部材３７の角度を調整すればよい。また、鏡面反射部材を有さず、拡散反射部材から構成される反射部材（不図示）であってもよい。
【００６０】
以上、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００６１】
例えば、上記実施形態では、太陽電池パネルが設けられた庇を外壁から水平に突出させているが、これに限らず、庇を傾斜させてもよい。また、上記実施形態では、太陽光発電部材が庇の機能も兼ねているが、これに限らず、太陽光発電部材が庇の機能を有さなくてもよく、例えば、太陽光発電部材が窓の下方に設けられるようにしてもよい。また、上記実施形態では、窓周辺の温度上昇を抑えるために（図３）、上部窓３が上下方向に傾斜して開閉するが、これに限らず、例えば、上部窓３が引き違い式の窓でもよい。また、上記実施形態では、屋外と屋内の境界部に窓ガラスが設けられているが、これに限らず、窓ガラスがなくてもよい。この場合にも、反射部材２１，２２の角度を調整する可動部（回動部材２３ａ〜２３ｃやアーム部材２４ａ，２４ｂ）が屋根の下に設けられるため、可動部が屋外に設けられる場合に比べて、耐環境性を向上させることができる。また、上記の実施形態では、庇１０からの太陽光を太陽電池パネル１２に戻したり（図１Ａ）室奥に取り込んだりするために（図２）反射部材２１，２２を反転可能にしているがこれに限らない。例えば、庇１０からの太陽光を受けた反射部材がその太陽光を太陽電池パネル１２に戻す向き（図１Ａ）の範囲内でしか角度調整できなくてもよいし、庇１０からの太陽光を受けた反射部材がその太陽光を室奥に取り込む向き（図２）の範囲内でしか角度調整できなくてもよい。
【符号の説明】
【００６２】
１  建物、２  外壁、３  上部窓（窓）、４  下部窓、５  天井面、
１０  庇（太陽光発電部材）、１１ａ  ガラス板、１１ｂ  ガラス板、
１２  太陽電池パネル、１３  鏡面反射部、１４  接着剤、１５  コーティング層、
２０  反射ユニット、２１  鏡面反射部材（反射部材，鏡面反射部）、
２２  拡散反射部材（反射部材，拡散反射部）、２３ａ  第１回動部材、
２３ｂ  第２回動部材、２３ｃ  第３回動部材、２４ａ  第１アーム部材、
２４ｂ  第２アーム部材、２５  レール、２６  蝶ネジ、
３１  鏡面反射部材、３２  拡散反射部材、３３  鏡面反射部材、
３４  拡散反射部材、３５  鏡面反射部材、３６  拡散反射部材、
３７  鏡面反射部材、３８  アーム、３９  回転部材
【図１】
2014053490.tif 000003
【図２】
2014053490.tif 000004
【図３】
2014053490.tif 000005
【図４】
2014053490.tif 000006
【図５】
2014053490.tif 000007
【図６】
2014053490.tif 000008